(57)【要約】【課題】  複数の移動型通話装置と通信装置との間で安定した通話を行なうことができる通信装置、通信方法及び通信システムを提供する。【解決手段】  第１の移動型通話装置とマスタ又はスレーブとして無線通信すると共に、第２の移動型通話装置とマスタ又はスレーブとして無線通信する通信部と、第１及び第２移動型通話装置に対して、制御信号を通信する第１の無線接続を行い、１の移動型通話装置から第１の無線接続により着信を受けると、当該第１の移動型通話装置との間に音声信号を通信する第２の無線接続を行なうと共に、第１及び第２の移動型通話装置の少なくとも一方に対してスレーブとして無線通信をしている場合に、待機状態にさせる制御信号を第２の移動型通話装置へ第１の無線接続により送信する制御部をもつ通信装置。【選択図】図１
2008060997.tif 000002
【特許請求の範囲】
【請求項１】
第１の移動型通話装置とマスタ又はスレーブとして無線通信すると共に、第２の移動型通話装置とマスタ又はスレーブとして無線通信する通信部と、
前記第１の移動型通話装置及び前記第２の移動型通話装置に対して、制御信号を通信する第１の無線接続を行い、
前記第１の移動型通話装置から前記第１の無線接続により着信を受けると、当該第１の移動型通話装置との間に音声信号を通信する第２の無線接続を行なうと共に、前記第１の移動型通話装置及び前記第２の移動型通話装置の少なくとも一方に対してスレーブとして無線通信をしている場合に、待機状態にさせる制御信号を前記第２の移動型通話装置へ前記第１の無線接続により送信する制御部を具備することを特徴とする通信装置。
【請求項２】
前記待機状態とは、前記第２の移動型通話装置が前記第１の無線接続で行う着信の通知を停止した状態であることを特徴とする請求項１記載の通信装置。
【請求項３】
前記通信部は、前記第１の移動型通話装置及び前記第２の移動型通話装置とＨＦＰ（Ｈａｎｄｓ−Ｆｒｅｅ  Ｐｒｏｆｉｌｅ）によるＢｌｕｅｔｏｏｔｈ通信を行い、
前記制御部が前記第２の移動型通話装置を待機状態にさせるための制御信号は、ＨＦＰ上で規定された制御信号であるＡＴ＋ＣＭＥＲ＝３，０，０，０であることを特徴とする請求項１記載の通信装置。
【請求項４】
前記制御部は、前記第１の移動型通話装置との間の前記第２の無線接続を解消した後に、前記第２の移動型通話装置に対して待機状態を解消させる制御信号を送信することを特徴とする請求項１記載の通信装置。
【請求項５】
前記移動型通話装置の待機状態を解消させるための制御信号は、ＨＦＰ上で規定された制御信号であるＡＴ＋ＣＭＥＲ＝３，０，０，１であることを特徴とする請求項３記載の通信装置。
【請求項６】
前記第１及び第２移動型通話装置と通話を行なうためのマイク部及びスピーカ部を更に有することを特徴とする請求項１記載の通信装置。
【請求項７】
通信装置と第１の移動型通話装置及び第２の移動型通話装置との間の通信方法であって、
前記通信装置と前記第１の移動型通話装置との間、及び前記通信装置と前記第２の移動型通話装置との間に、制御信号を通信する第１の無線接続を行い、
前記第１の移動型通話装置が着信を受けると、当該第１の移動型通話装置と前記通信装置との間に音声信号を通信する第２の無線接続を行なうと共に、前記第１の移動型通話装置及び前記第２の移動型通話装置の少なくとも一方に対して前記通信装置がスレーブとして無線通信をしている場合に、待機状態にさせる制御信号を前記通信装置が前記第２の移動型通話装置に送信することを特徴とする通信方法。
【請求項８】
前記待機状態とは、前記第２の移動型通話装置が前記第１の無線接続で行う前記通信装置への着信の通知を停止した状態であることを特徴とする請求項７記載の通信方法。
【請求項９】
前記通信装置は、前記第１の移動型通話装置及び前記第２の移動型通話装置とＨＦＰ（Ｈａｎｄｓ−Ｆｒｅｅ  Ｐｒｏｆｉｌｅ）によるＢｌｕｅｔｏｏｔｈ通信を行い、
前記通信装置が前記第２の移動型通話装置を待機状態にさせる制御信号は、ＨＦＰで規定された制御信号であるＡＴ＋ＣＭＥＲ＝３，０，０，０であることを特徴とする請求項７記載の通信方法。
【請求項１０】
前記通信装置と前記第１の移動型通話装置との間の前記第２の無線接続を解消した後に、前記第２の移動型通話装置の待機状態を解消させる制御信号を前記通信装置から前記第２の移動型通話装置に送信することを特徴とする請求項７記載の通信方法。
【請求項１１】
前記第２の移動型通話装置の待機状態を解消させるための制御信号は、ＨＦＰ上で規定された制御信号であるＡＴ＋ＣＭＥＲ＝３，０，０，１であることを特徴とする請求項９記載の通信方法。
【請求項１２】
前記第１及び第２移動型通話装置と通話を行なうために前記通信装置がマイク部及びスピーカ部を用いることを特徴とする請求項７記載の通信方法。
【請求項１３】
第１の移動型通話装置と、
第２の移動型通話装置と、
前記第１の移動型通話装置及び前記第２の移動型通話装置に対して制御信号を通信する第１の無線接続を行い、
前記第１の移動型通話装置から着信を受けると、当該第１の移動型通話装置との間に音声信号を通信する第２の無線接続を行なうと共に、前記第１の移動型通話装置及び前記第２の移動型通話装置の少なくとも一方に対してスレーブとして無線通信をしている場合に、待機状態にさせる制御信号を前記第２の移動型通話装置に送信する通信装置と、
を具備することを特徴とする通信システム。
【請求項１４】
前記待機状態とは、前記第２の移動型通信装置が前記第１の接続で行う前記通信装置への着信の通知を停止した状態であること
を特徴とする請求項１３記載の通信システム。
【請求項１５】
前記通信装置は、前記第１の移動型通話装置及び前記第２の移動型通話装置とＨＦＰ（Ｈａｎｄｓ−Ｆｒｅｅ  Ｐｒｏｆｉｌｅ）によるＢｌｕｅｔｏｏｔｈ通信を行い、
前記第２の移動型通話装置は、ＨＦＰで規定された制御信号であるＡＴ＋ＣＭＥＲ＝３，０，０，０を前記通信装置から受信して待機状態とすることを特徴とする請求項１３記載の通信システム。
【請求項１６】
前記通信装置と前記第１の移動型通話装置との間の前記第２の無線接続を解消した後に、前記第２の移動型通話装置の待機状態を解消させる制御信号を前記通信装置から前記第２の移動型通話装置に送信することを特徴とする請求項１３記載の通信システム。
【請求項１７】
前記第２の移動型通話装置は、ＨＦＰ上で規定された制御信号であるＡＴ＋ＣＭＥＲ＝３，０，０，１を前記通信装置から受信して待機状態を解消することを特徴とする請求項１５記載の通信システム。
【請求項１８】
前記第１及び第２移動型通話装置と通話を行なうために前記通信装置はマイク部及びスピーカ部を用いることを特徴とする請求項１３記載の通信システム。
【発明の詳細な説明】
【技術分野】
【０００１】
この発明は、複数の移動型通話装置と無線通信を行なう通信装置、通信方法及び通信システムに関する。
【背景技術】
【０００２】
最近、デジタル無線通信の発達に応じて、携帯電話器や通常の電話機の無線機能をもつ子機等に対して、室内等で無線通信を行なうことができるハンズフリーのヘッドセット等の通話装置が開発され普及してきている。
【０００３】
特許文献１には、複数の携帯電話に対して通話が可能であり、例えば、複数台の携帯電話機を車両内に持ち込んで、ハンズフリー通話を行なう場合に、各携帯電話機の取扱を用意に行なうことができるハンズフリー通話システムが開示されている。
【特許文献１】特開２００３−１７４６７６公報
【発明の開示】
【発明が解決しようとする課題】
【０００４】
しかし、特許文献１の従来技術は、同時に複数の携帯電話に対して接続を行なうものではなく、複数の携帯電話からの着信を待つことができる装置については考慮されていない。
【０００５】
特にＢｌｕｅｔｏｏｔｈ（登録商標）のＨＦＰ（Ｈａｎｄ−Ｆｒｅｅ−Ｐｒｏｆｉｌｅ）で通信を行なうハンズフリー機器（Ｈａｎｄ−Ｆｒｅｅ  ｕｎｉｔ）では、複数の携帯電話と接続した場合であって、少なくとも一方に対しスレーブとして通信している場合には、それぞれの携帯電話から着信があって複数の音声通信コネクションが形成されると、通信状態が不安定となる可能性がある。
【０００６】
本発明は、複数の移動型通話装置に対して安定した通話を行なうことができる通信装置、通信方法及び通信システムを提供することを目的とする。
【課題を解決するための手段】
【０００７】
課題を解決する一実施の形態は、
第１の移動型通話装置（Ｍ１）とマスタ又はスレーブとして無線通信すると共に、第２の移動型通話装置（Ｍ２）とマスタ又はスレーブとして無線通信する通信部（２）と、
前記第１の移動型通話装置及び前記第２の移動型通話装置に対して、制御信号を通信する第１の無線接続を行い、
前記第１の移動型通話装置から前記第１の無線接続により着信を受けると、当該第１の移動型通話装置との間に音声信号を通信する第２の無線接続を行なうと共に、前記第１の移動型通話装置及び前記第２の移動型通話装置の少なくとも一方に対してスレーブとして無線通信をしている場合に、待機状態にさせる制御信号（ＡＴ＋ＣＭＥＲ＝３，０，０，０）を前記第２の移動型通話装置へ前記第１の無線接続により送信する制御部（１１）と、
を具備することを特徴とする通信装置である。
【発明の効果】
【０００８】
複数の移動型通話装置に対して安定した通話を行なうことができる通信装置、通信方法及び通信システムを提供することができる。
【発明を実施するための最良の形態】
【０００９】
以下、この発明の実施の形態について図面を参照して詳細に説明する。  
図１は、本発明の一実施形態に係る通信装置の外観の一例を示す外観図である。図２は、本発明の一実施形態に係る通信装置の構成の一例を示すブロック図である。図３は、本発明の一実施形態に係る通信装置と通信を行なう移動型通話装置の外観の一例を示す外観図である。図４は、本発明の一実施形態に係る通信装置と通信を行なう移動型通話装置の構成の一例を示すブロック図である。図５は、一般的なBluetooth機器の実装構成の一例を示すブロック図である。図６は、本発明の一実施形態に係る通信装置と携帯電話機との関係の一例を示す説明図である。図７は、本発明の一実施形態に係る通信装置と携帯電話機との他の関係の一例を示す説明図である。図８は、本発明の一実施形態に係る通信装置と携帯電話機との間でモード変更を行なう動作の一例を示すフローチャートである。図９は、本発明の一実施形態に係る通信装置において携帯電話機のモード変更のための動作の一例を示すフローチャートである。図１０は、本発明の一実施形態に係る携帯電話機においてモード変更のための動作の一例を示すフローチャートである。図１１は、本発明の一実施形態に係る通信装置と携帯電話機との間でロールスイッチを伴う場合のモード変更を行なう動作の一例を示すフローチャートである。
【００１０】
＜本発明の一実施形態に係る通信装置及び移動型通話装置＞
（通信装置の構成と動作）
初めに、本発明の一実施形態に係る通信装置の構成の一例を説明する。本発明の一実施形態に係る通信装置１は、図１に示すような外観をもち、ユーザが音声を入力するマイク部１９、及びユーザが両耳に当て、音声を聞き取るためのスピーカ部１８を有する。本通信装置１は、２以上の携帯電話機と通信することができる。詳細は後述する。
【００１１】
通信装置１の構成として図２に示すように、全体の処理動作を制御するＣＰＵ１１、プログラム等を格納しているＲＯＭ１２、処理データやプログラム、管理情報等を格納しているＲＡＭ１３、音量等、通信の対象となる携帯電話等との通信条件の設定等の操作を行うことができる操作部１５を有している。
【００１２】
更に通信装置１は、図２に示すように、携帯電話から受信した音声信号のデコード、ユーザがマイク部１９に入力した音声の音声信号へのエンコード、音質調整等を行なう音声処理部１７、この音声処理部でデコードした音声等を出力するスピーカ部１８、ユーザの音声を入力するマイク部１９、例えばBluetooth等の方式で機器間の無線通信を行なう無線通信部２０、例えば通常のアナログ入力端子であるラインイン端子や、ＵＳＢ（Universal Serial Bus）等の外部装置との接続機能である有線通信部２１を有している。
【００１３】
上述した通信装置１は、通信範囲に存在する後述する移動型通話装置（いわゆる携帯電話）Ｍと、例えばBluetoothのＨＦＰ（Ｈａｎｄｓ−Ｆｒｅｅ  Ｐｒｏｆｉｌｅ）等で無線通信を行なうことにより、ハンズフリー通話を可能とする。
【００１４】
図５は、BluetoothのＨＦＰで通信を行う場合の通信装置１のスタックの構成の一例を示すブロック図である。システムメインプログラム５１と、ＨＦＰスタックソフトウェア５２と、ベースバンド／ＬＭＰ  ＬＳＩ５３と、Ｒａｄｉｏ  ＬＳＩ５４とから構成される。
【００１５】
ここで、システムメインプログラム５１及びＨＦＰスタックソフトウェア５２はソフトウェアで構成されており、ベースバンド／ＬＭＰ  ＬＳＩ及びＲａｄｉｏ  ＬＳＩはハードウェアで構成されているものとする。
【００１６】
このとき、後述するように、ヘッドセットである通信装置１がそれぞれマスタとして、携帯電話機Ｍ１，Ｍ２と通信を行なっている場合は問題ない。しかし、通信装置１が、携帯電話機Ｍ１又はＭ２の少なくとも一方に対してスレーブとして通信を行なっている状態でオーディオコネクションを設定すると、オーディオコネクションが二重に設定されたとしてもBluetoothベースバンドのタイムスロットスケジューリングができなくなり、通話が不能となる等の不具合が生じる場合がある。
【００１７】
（移動型通話装置の構成及び動作）
次に、本発明の一実施形態である通信装置１の通信相手である移動型通話装置を図３及び図４を用いて説明する。
【００１８】
移動型通話装置（携帯電話装置）Ｍは、図３に示す外観を一例として有しており、構成としては図４に示すように、通信部１００と、アンテナ１０１と、デュプレクサ１０２と、ＲＦ受信利得可変増幅器１０３と、ＲＦ帯域制限フィルタ１０４と、周波数変換器１０５と、ＩＦ帯域制限フィルタ１０６と、ＩＦ受信利得可変増幅器１０７と、変調・復調部１０８と、ＩＦ送信利得可変増幅器１１１と、周波数変換器１１２と、ＲＦ帯域制限フィルタ１１３と、ＲＦ送信利得可変増幅器１１４と、電力増幅器１１５と、アイソレータ１１６と、ボコーダ１２３と、スピーカ１２４とを有している。
【００１９】
又、更に、移動型通信装置Ｍは、全体の動作を制御する制御部１３１と、外部の通信装置と例えばBluetooth等の無線通信で通信を行なう通信部１３２と、複数のスイッチ等を有している操作部１３３と、操作情報や写真画像等を表示する表示部１３４と、動画コンテンツや番組予約情報等を記憶する記憶部１３５と、ＭＰＥＧデコーダ・音声映像処理部１３６と、メール処理部１３７とが制御部１３１に接続されている。又、ＭＰＥＧデコーダ・音声映像処理部１３６の出力は、それぞれ表示部１３４とスピーカ１２４とに接続されている。
【００２０】
又、変調・復調部１０８は、例えば直交復調部１８１と、Ａ／Ｄ変換部１８２と、情報信号復調部１８３と、復号化部１９２とからなり、更に、ボコーダ１２３からの信号を暗号化する暗号化部１８９と、情報信号変調部１８４と、Ｄ／Ａ変換部１８５と、直交変調部１８６とにより構成される。この構成において、直交復調部１８１で直交復調された信号はＡ／Ｄ変換部１８２でＡ／Ｄ変換され、信号復調部１８３で情報信号復調されて、復号化部１９２により復号されて出力される。
【００２１】
この移動型通信装置Ｍはこのような構成において、受信処理について説明すると、基地局から送信されるフォワードリンク信号はアンテナ１０１で受信、デュプレクサ１０２で受信機側回路へ供給され、ＲＦ受信利得可変増幅器１０３で増幅あるいは減衰され、ＲＦ帯域制限フィルタ１０４で不要成分をフィルタリングされ、周波数変換器１０５でＲＦ帯からＩＦ帯へ周波数変換され、ＩＦ帯域制限フィルタ１０６で不要成分をフィルタリングされ、ＩＦ受信利得可変増幅器１０７で増幅あるいは減衰され、変調・復調部１０８へ入力する。
【００２２】
変調・復調部１０８は、例えば直交復調部１８１と、Ａ／Ｄ変換部１８２と、情報信号復調部１８３と、情報信号変調部１８４と、Ｄ／Ａ変換部１８５と、直交変調部１８６で構成される。
【００２３】
ここで、暗号化部１８９と復号化部１９２とは、共通の暗号鍵情報で暗号化され復号されることが好適であり、暗号化処理により通話される音声情報の不当な傍聴を防止するものである。しかし、厳密には、送信側の移動型通話部からの暗号化のための暗号鍵情報と受信側の復号化部１９２との鍵情報が共通であればよい。
【００２４】
この構成を有する移動型通信装置Ｍの受信処理について以下に説明すると、表示部１３４の操作情報の表示に応じて、ユーザの操作部１３３から与えられる操作情報に応じ、制御部１３１の動作制御に従って、以下のような動作が行われる。すなわち、直交復調部１８１で直交復調された信号は、Ａ／Ｄ変換部１８２でＡ／Ｄ変換され信号復調部１８３で情報信号復調され、更に復号化部１９２で復号されて音声としてスピーカ１２４に出力される。
【００２５】
又、更にこの移動型通信装置Ｍの送信処理について以下に説明すると、同様に、表示部１３４の操作情報の表示に応じて、ユーザの操作部１３３から与えられる操作情報に応じ、制御部１３１の動作制御に従って、以下のような動作が行われる。すなわち、移動局から送信されるリバースリンク信号はボコーダ１２３により与えられ、これを暗号化部１８９にて暗号化する。この暗号化された暗号化信号は、情報信号変調部１８４で変調されて出力されＤ／Ａ変換部１８５でＤ／Ａ変換、直交変調部１８６で直交変調され、ＩＦ送信利得可変増幅器１１１で増幅あるいは減衰され、周波数変換器１１２でＩＦ帯からＲＦ帯へ周波数変換され、ＲＦ帯域制限フィルタ１１３で不要成分をフィルタリングして、ＲＦ送信利得可変増幅器１１４で増幅あるいは減衰され、電力増幅器１１５で増幅され、アイソレータ１１６を介してデュプレクサ１０２でアンテナ１０１ヘ供給され、空間へ送信されるものである。
【００２６】
さらに、このような移動型通信装置Ｍは、上述したBluetooth等の通信部１３２を用いることにより、図１に示す通信装置１等を用いることでハンズフリー通話を可能とするものである。
【００２７】
（通信装置及び移動型通話装置でのモード変更動作）
次に、通信装置及び移動型通話装置でのモード変更動作について、図８乃至図１１のフローチャートを用いて詳細に説明する。
【００２８】
なお、以下の図８乃至図１１のフローチャートの各ステップは、回路ブロックに置き換えることができ、従って、各フローチャートのステップは、全てブロックに定義しなおすことが可能である。
【００２９】
初めに、通信装置１は、移動型通話装置Ｍ１，Ｍ２と通信を行なう際に、Bluetooth規格に従う場合、必ずマスタかスレーブかの地位で通信を行なうことになる。以下、通信装置１は移動型通話装置Ｍ１及びＭ２と、ＨＦＰ（Ｈａｎｄｓ−Ｆｒｅｅ  Ｐｒｏｆｉｌｅ）により通信するものとする。ここでＨＦＰとは、Ｂｌｕｅｔｏｏｔｈによりハンズフリーの音声通話を行うための通信手順を規定したプロファイルである。例えば携帯電話機と、ヘッドセットや車載機通話装置等との間の通信に利用される。通信装置１はＨＦＰで規定されるＨＦ（Ｈａｎｄｓ−Ｆｒｅｅ  ｕｎｉｔ）として、携帯電話機Ｍ１及びＭ２は、同じくＨＦＰで規定されるＡＧ（Ａｕｄｉｏ  Ｇａｔｅｗａｙ）として動作するものとする。
【００３０】
図６の（ａ）においては、通信装置１は、携帯電話機Ｍ１に対してマスタ、携帯電話機Ｍ２に対してマスタである。この場合、通信装置１は携帯電話機Ｍ１，Ｍ２に対して自主的にBluetoothベースバンドのタイムスロットスケジューリングを決定することができるため、機器の設定によっては、二つの携帯電話機Ｍ１，Ｍ２に対して、同時に通話することも可能である。
【００３１】
図６の（ｂ）においては、携帯電話機Ｍ１に対してスレーブ、携帯電話機Ｍ２に対してマスタである。この場合、通信装置１は携帯電話機Ｍ１に対して自主的にBluetoothベースバンドのタイムスロットスケジューリングを決定することができない。従って、一方の携帯電話機に着信がありオーディオコネクションを形成した状態になると、他方に更に着信があり複数のオーディオコネクションが形成された場合、複数のオーディオコネクションを制御することができなくなり、通話が不能となる場合がある。従って後述するように、両者がマスタでない限り、一方に着信があると、図７に示すように他方の携帯電話機に対して所定の制御信号（制御コマンド）を送信し、着信等を知らせる制御信号を通信装置１へ送信しない状態（待機状態）とする。更に、当該携帯電話機は他方を待機モード（ドライブモード又は留守録モード又は自動保留モード）等に変更する。
【００３２】
ここで、留守録モードは、着信があったら自動的にメッセージ録音を行なうモードであり、自動保留モードは、着信があったら自動的に一旦保留とするモードである。
【００３３】
図６の（ｃ）の例では、携帯電話機Ｍ１及び携帯電話機Ｍ２の両方に対してスレーブとなっている。この場合、通信装置１は携帯電話機Ｍ１，Ｍ２に対して自主的にBluetoothベースバンドのタイムスロットスケジューリングを決定することができない。従って、一方の携帯電話機に着信がありオーディオコネクションを形成した状態になると、他方に更に着信があり複数のオーディオコネクションが形成された場合、複数のオーディオコネクションを制御することができなくなり、通話が不能となる場合がある。従って、この場合も、一方に着信があると図７に示すように他方を待機状態及び待機モード（ドライブモード）等に変更する必要がある。
【００３４】
次に、図８のフローチャートを用いて、通信装置１と移動型通話装置（携帯電話）Ｍ１，Ｍ２との間のモード変更動作を詳細に説明する。まず通信装置１は、ＣＰＵ１１及び無線通信部２０の働きにより、通信可能範囲に存在する携帯電話機Ｍ１，Ｍ２に対して、それぞれ、サービスレベルコネクションを形成する（ステップＳ１１，Ｓ１２）。このとき、通信装置１は携帯電話機Ｍ１又はＭ２の少なくとも一方に対してスレーブとして通信するものとする。尚、サービスレベルコネクションとは、主に制御信号を通信するための無線接続であり、例えば着信の通知、通話が切れた旨の通知、圏外になったことの通知、バッテリが切れた旨の通知等はサービスレベルコネクションにより行われる。
【００３５】
この状態で携帯電話機Ｍ１からの着信を受けると、携帯電話機Ｍ１はサービスレベルコネクションで通信装置１へその旨通知し、通信装置１はＣＰＵ１１及び無線通信部２０の働きにより（ステップＳ１３）、携帯電話機Ｍ１との間でオーディオコネクションを設定する（ステップＳ１４）。その後、通信装置１はＣＰＵ１１及び無線通信部２０の働きにより、ＨＦＰで規定された制御コマンドである「ＡＴ＋ＣＭＥＲ＝３，０，０，０」を生成して、サービスレベルコネクションで携帯電話Ｍ２に送信する（ステップＳ１５）。
【００３６】
ここでＡＴ＋ＣＭＥＲとは、ＨＦＰで規定された制御コマンドの一つであり、ＨＦ（Ｈａｎｄｓ−Ｆｒｅｅ  ｕｎｉｔ）からＡＧ（Ａｕｄｉｏ  Ｇａｔｅｗａｙ）に対して送信されるものである。「ＡＴ＋ＣＭＥＲ＝３，０，０，０」はＡＧからＨＦへのインジケータ（ＨＦＰの制御コマンドの１つで、ＡＧの状態変化（着信の通知、通話が切れた旨の通知、圏外になった旨の通知、バッテリが切れた旨の通知等）の送信を停止する待機状態とする。一方、「ＡＴ＋ＣＭＥＲ＝３，０，０，１」であれば、ＡＧからＨＦへのインジケータの送信をスタートし、待機状態を解除する。
【００３７】
携帯電話Ｍ２では、受信した制御コマンド「ＡＴ＋ＣＭＥＲ＝３，０，０，０」に応じて、上述のように待機状態とするとともに、ドライブモード（又は自動保留又は着信通知音等）に設定する（ステップＳ１６）。これによって、携帯電話Ｍ２で着信があったとしても、携帯電話Ｍ２と通信装置１との間でオーディオコネクションが設定され混信する等の不具合が発生することはない。
【００３８】
その後、携帯電話Ｍ１との通話が終了してオーディオコネクションが解除されると（ステップＳ１７）、通信装置１はＣＰＵ１１及び無線通信部２０の働きにより、上述したＨＦＰで規定された制御コマンドである「ＡＴ＋ＣＭＥＲ＝３，０，０，１」を生成して携帯電話Ｍ２に送信する（ステップＳ１８）。
【００３９】
携帯電話Ｍ２では、受信した制御コマンドである「ＡＴ＋ＣＭＥＲ＝３，０，０，１」に応じて待機状態を解除するとともに、ドライブモード（又は自動保留又は着信通知音等）も併せて解除して通常モードに設定する（ステップＳ１９）。
【００４０】
このような動作を、図９の通信装置１の動作のフローチャートを用いて説明する。通信装置１では、ＣＰＵ１１及び無線通信部２０の働きにより、ＨＦＰスタックソフトウェア５２がベースバンド／ＬＭＰ  ＬＳＩ５３からＨＣＩイベントを受信すると（ステップＳ２１）、本来のイベント処理を行なう（ステップＳ２２）。例えば着信であればオーディオコネクションの接続処理（図８のＳ１４）、通信終了であればオーディオコネクションの解放（図８のＳ１７）等がこれに相当する。そして、イベントコードの種類に応じて（ステップＳ２３）それぞれ異なる処理がなされる。
【００４１】
すなわち、イベントコードが、“Connection Complete”（オーディオコネクションの接続）であるとき、両携帯電話に対してマスタであれば（ステップＳ２４）着信を受けている携帯電話機Ｍ１とは異なる携帯電話機Ｍ２から着信を受けても処理上特に問題は無いため信号は発信することはないが、両携帯電話に対して一方でもスレーブであれば（ステップＳ２４）、通信装置１から携帯電話機Ｍ２に対し、待機状態とするための制御コマンド“ＡＴ＋ＣＭＥＲ＝３，０，０，０”を送信する（ステップＳ２５）。
【００４２】
又、イベントコードが、“Disconnection Complete”（オーディオコネクションの解放）であるとき、両携帯電話に対してマスタであれば（ステップＳ２６）いずれの携帯電話機も待機状態とはなっていないはずであるため信号を発信することはない。しかしながら両携帯電話に対して一方でもスレーブであれば（ステップＳ２７）、これまでオーディオコネクションを張っていた携帯電話機Ｍ１ではない携帯電話機Ｍ２が待機状態となっているため、通信装置１から該当の携帯電話に対して“ＡＴ＋ＣＭＥＲ＝３，０，０，１”を送信する（ステップＳ２７）。
【００４３】
次に、イベントコードが、“Role Change”（マスタとスレーブの入れ替え）であるとき、オーディオコネクションが張られているかどうかを判断する（ステップＳ２８）。オーディオコネクションが張られていなければ、特に制御コマンド「ＡＴ＋ＣＭＥＲ」を送信する必要は無い。しかしながら、オーディオコネクションが張られている場合には、着信を受けていない携帯電話機Ｍ２の待機状態を変化させる必要がある。両携帯電話に対してマスタであれば（ステップＳ２９のＹｅｓ）、通信装置１から、着信を受けていない携帯電話機Ｍ２を待機状態とする必要は無くなるので、制御コマンド“ＡＴ＋ＣＭＥＲ＝３，０，０，１”を送信する（ステップＳ３１）。他方、両携帯電話に対して一方でもスレーブとなった場合には（ステップＳ２９のＮｏ）、着信を受けていない携帯電話機Ｍ２を待機状態とする必要があるため、制御コマンド “ＡＴ＋ＣＭＥＲ＝３，０，０，０”を送信する（ステップＳ３０）。
【００４４】
同様に、このような処理の携帯電話における動作のみを図１０のフローチャートに従って説明する。図１０のフローチャートにおいて、初めに、ＡＴコマンドを受信すると（ステップＳ４１）、本来のコマンド処理を行なった後に（ステップＳ４２）、受信したコマンドが「ＡＴ＋ＣＭＥＲ＝３，０，０，０」であれば（ステップＳ４４）、ドライブモード（又は自動保留又は着信通知音等）を設定する（ステップＳ４５）。又、これとは逆に、受信したコマンドが「ＡＴ＋ＣＭＥＲ＝３，０，０，１」であれば（ステップＳ４３）、ドライブモード（又は自動保留又は着信通知音等）を解除する（ステップＳ４７）。
【００４５】
（通信装置及び移動型通話装置でのモード変更動作：ロールスイッチ）
又、次に、ロールスイッチによるマスタとスレーブとの入れ替えに伴うモード変更動作を図１１のフローチャートを用いて以下に説明する。
【００４６】
すなわち、初めに通信装置１が各移動型通話装置Ｍ１，Ｍ２に対して、マスタで通信を行なっているとする。この場合のステップＳ１１乃至ステップＳ１４までの処理は、図８に示すフローチャートと同等である。
【００４７】
ここで、ステップＳ２１において、通信装置１からロールスイッチの信号が発信されると、通信装置１と各移動型通話装置Ｍ１，Ｍ２とのマスタとスレーブが入れ替わり、今度は通信装置１がスレーブとなってしまう。これに応じて、通信装置１のＣＰＵ１１及び無線通信部２０の働きにより、BluetoothのＨＦＰであれば、制御コマンド「ＡＴ＋ＣＭＥＲ＝３，０，０，０」を生成して携帯電話Ｍ２に送信する（ステップＳ２２）。これは、両者の移動型通話装置Ｍ１，Ｍ２に対するマスタの地位がなくなったため、待機モード等を取ることにより、二つの移動型通話装置Ｍ１，Ｍ２からの着信による通信不能が発生することを回避する必要が出たためである。
【００４８】
更に再びステップＳ２４において、マスタである移動型通話装置からロールスイッチの信号が発信されると（ステップＳ２４）、通信装置１と各移動型通話装置Ｍ１，Ｍ２とのマスタとスレーブが入れ替わり、今度は通信装置１がマスタとなる。これに応じて、通信装置１のＣＰＵ１１及び無線通信部２０の働きにより、BluetoothのＨＦＰであれば、制御コマンド「ＡＴ＋ＣＭＥＲ＝３，０，０，１」を生成して携帯電話Ｍ２に送信する（ステップＳ２５）。これに応じて携帯電話Ｍ２では、待機モード（ドライブモード等）から、通常モードへとモード変換を行なう（ステップＳ２６）。
【００４９】
これは、両者の移動型通話装置Ｍ１，Ｍ２に対する通信装置１のマスタの地位が復活したため、待機モード等を取るよりも、通常モードとして、通話を行なっていない携帯電話に対しても着信に対して通話可能な状態とすることが好適であるためである。
【００５０】
（発信の選択）
又、他の実施形態として、通信装置１から移動型電話装置Ｍ１，Ｍ２を介して発信することができる。この際に、両方の移動型電話装置Ｍ１，Ｍ２の状態を取得して、どちらの移動型電話装置Ｍ１，Ｍ２から発信するかを選択することが好適である。この場合、少なくとも、以下の３つの方法により選択することができる。
【００５１】
（１）両電話機から電話帳を取得し、発信しようとする電話番号を電話帳に持っているほうの電話から発信する。
【００５２】
（２）両電話機から電話網の電界強度を取得し、強度の高いほうから発信する。
【００５３】
（３）両電話機からバッテリ残量を取得し、残量の多いほうから発信する。
【００５４】
又、これらの例に限らず、両方の移動型電話装置Ｍ１，Ｍ２の状態に応じて適切な選択を行なうことが好適である。
【００５５】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５６】
【図１】本発明の一実施形態に係る通信装置の外観の一例を示す外観図。
【図２】本発明の一実施形態に係る通信装置の構成の一例を示すブロック図。
【図３】本発明の一実施形態に係る通信装置と通信を行なう移動型通話装置の外観の一例を示す外観図。
【図４】本発明の一実施形態に係る通信装置と通信を行なう移動型通話装置の構成の一例を示すブロック図。
【図５】一般的なBluetooth機器の実装構成の一例を示すブロック図。
【図６】本発明の一実施形態に係る通信装置と携帯電話機との関係の一例を示す説明図。
【図７】本発明の一実施形態に係る通信装置と携帯電話機との他の関係の一例を示す説明図。
【図８】本発明の一実施形態に係る通信装置と携帯電話機との間でモード変更を行なう動作の一例を示すフローチャート。
【図９】本発明の一実施形態に係る通信装置において携帯電話機のモード変更のための動作の一例を示すフローチャート。
【図１０】本発明の一実施形態に係る携帯電話機においてモード変更のための動作の一例を示すフローチャート。
【図１１】本発明の一実施形態に係る通信装置と携帯電話機との間でロールスイッチを伴う場合のモード変更を行なう動作の一例を示すフローチャート。
【符号の説明】
【００５７】
１…通信装置、１１…ＣＰＵ、１２…ＲＯＭ、１３…ＲＡＭ、１４…オーディオ記憶部、１５…操作部、１６…表示部、１７…音声処理部、１８…スピーカ部、１９…マイク部、２０…無線通信部（Bluetooth等）、２１…有線通信部。
【図１】
2008060997.tif 000003
【図２】
2008060997.tif 000004
【図３】
2008060997.tif 000005
【図４】
2008060997.tif 000006
【図５】
2008060997.tif 000007
【図６】
2008060997.tif 000008
【図７】
2008060997.tif 000009
【図８】
2008060997.tif 000010
【図９】
2008060997.tif 000011
【図１０】
2008060997.tif 000012
【図１１】
2008060997.tif 000013